(57)【要約】      （修正有）【課題】複数の輪ゴムを緊張せずに弾倉部にセットし、発射直前に輪ゴムを緊張して正確に発射可能で、且つ、安全性、操作性、メンテナンス性、経済性等に優れた連続発射式輪ゴム銃を提供する。【解決手段】ゴム銃本体１の前方に銃身部１ａ、ほぼ中央部に輪ゴム装填弾５と弾倉４、後方に銃床１ｄとを備え、弾倉と銃床の中間部に発射・排莢機構部６を設ける。銃身部は、固定滑車取付部と、固定滑車取付部の下面に設けられる把持部と、固定滑車取付部の上面に設けられる輪ゴム引っ掛け用フック付緊張器からなる緊張器前後移動装置２を内蔵する。【選択図】図１
0003170515.tif 000002
【実用新案登録請求の範囲】
【請求項１】
複数の輪ゴムをそれぞれ緊張せずに輪ゴム装填弾に係止して弾倉部にそれぞれセットし、発射直前に緊張器により輪ゴムを緊張して連続的に発射する輪ゴム銃であって、該輪ゴム銃は主に、緊張器前後移動装置（２）を内蔵し、その後部に弾倉（４）を挿着する弾倉挿入部（１ｂ）をそれぞれ設けた銃身部（１ａ）と、複数の輪ゴム装填弾を挿着可能に設けた弾倉（４）と、上部に銃後部覆い（１ｃ）と下部に発射・排莢機構部を有する銃床（１ｄ）と、銃身左側面板（１ｅ）とから成り、銃弾用の輪ゴム（ＲＢ１）を発射する際は、緊張器前後移動装置（２）の把持部（２ａ）を前後移動させて、緊張器後端に軸支して設けた輪ゴム引っ掛け用フック（２ｊ）で輪ゴム装填弾（５）に係止した銃弾用の輪ゴム（ＲＢ１）先端部を引っ掛けて緊張し、且つ、発射・排莢機構部（６）の引金（６ａ）を引いて輪ゴム装填弾（５）の回動駒（５ｂ）を前傾させて連続的に発射させることを特徴とする連続発射式輪ゴム銃。
【請求項２】
緊張器前後移動装置（２）の緊張器を後退させて銃弾用の輪ゴム（ＲＢ１）先端を引っ掛ける際には、緊張器後端に軸支して設けた輪ゴム引っ掛け用フック（２ｊ）の鍵外周Ｒ部が輪ゴム装填弾（５）の傾斜状溝部（５ｅ）に沿って上方へ持ち上げられ、且つ、落とし駒（２ｉ）を緊張器上部（２ｇ）及び緊張器下部（２ｈ）の溝部（２ｎ）に落下させて固定し、フックが自重により自然落下することを防止し、輪ゴムを緊張時に水平状態を保持するよう設けたことを特徴とする請求項１記載の連続発射式輪ゴム銃。
【請求項３】
発射・排莢機構部（６）の上部に輪ゴム装填弾の発射用固定撃針と、該固定撃針の下部に次弾飛び出し防止用針を並設して設け、且つ、引金を引くことで銃弾用の輪ゴム（ＲＢ１）の発射と次弾の飛び出し防止を同時に行うことを特徴とする請求項１記載の連続発射式輪ゴム銃。
【請求項４】
銃弾用輪ゴム（ＲＢ１）等の弾性部材を輪ゴム装填弾（５）の上部外周部に無緊張状態で係止し、且つ、該輪ゴム装填弾を弾倉（４）内部に１個又は複数それぞれ挿着して設けたことを特徴とする請求項１記載の連続発射式輪ゴム銃。
【考案の詳細な説明】
【技術分野】
【０００１】
この考案は、複数の輪ゴムを緊張せずに輪ゴム装填弾に係止して弾倉部にそれぞれセットし、発射直前に緊張器により輪ゴムを緊張して発射する連続発射式輪ゴム銃に関するものである。
【背景技術】
【０００２】
従来、輪ゴム銃といえば、円形の輪ゴムを引き伸ばした状態でセットとし、撃ちたい時に引金を引いて発射するものが大半を占めている。その為、安全性にやや問題があり、輪ゴム自体の耐久性も短期で使用できなくなるという問題があった。
【０００３】
又、部品点数や材質等、コスト的に高価なものが使用されているため、コストアップに繋がり、誰でも簡単に入手出来なかった。
【０００４】
そこで、安全性、操作性、メンテナンス性、経済性等に優れ、且つ、連続的に複数の輪ゴムが正確に発射可能な連発式輪ゴム銃の早期開発が求められている。
【先行技術文献】
【特許文献】
【０００５】
そこで、これまでに出願されている連続発射式輪ゴム銃の特許文献を参考の為、紹介する（特許文献１〜４参照）。
【特許文献１】実用公開平０７−０４１２９１
【特許文献２】実用公開平０５−０９６７９６
【特許文献３】登録実用新案第３１００３０７号
【特許文献４】登録実用新案第３００６４１１号
【考案の概要】
【考案が解決しようとする課題】
【０００６】
そこで、上記課題を解決する為に、この考案は複数の輪ゴムを緊張せずに輪ゴム装填弾に係止して弾倉部にそれぞれセットし、発射直前に緊張器により輪ゴムを緊張して正確に発射可能で、且つ、安全性、操作性、メンテナンス性、経済性等に優れた連続発射式輪ゴム銃を開発・提供する事にある。
【課題を解決するための手段】
【０００７】
この課題を解決するための手段として、主に、緊張器前後移動装置を内蔵し、その後部に弾倉を挿着する弾倉挿入部をそれぞれ設けた銃身部と、複数の輪ゴム装填弾を挿着可能に設けた弾倉と、上部に銃後部覆いと下部に発射・排莢機構部を有する銃床と、銃身左側面板とから成り、銃弾用の輪ゴムを発射する際は、緊張器前後移動装置の把持部を前後移動させて、緊張器後端に軸支して設けた輪ゴム引っ掛け用フックで輪ゴム装填弾に係止した銃弾用の輪ゴム先端部を引っ掛けて緊張し、且つ、発射・排莢機構部の引金を引いて輪ゴム装填弾の回動駒を前傾させて連続的に発射させることを特徴とするものである。
【０００８】
又、緊張器前後移動装置の緊張器を後退させて銃弾用の輪ゴム先端を引っ掛ける際には、緊張器後端に軸支して設けた輪ゴム引っ掛け用フックの鍵外周Ｒ部が輪ゴム装填弾の傾斜状溝部に沿って上方へ持ち上げられ、且つ、落とし駒を緊張器上部及び緊張器下部の溝部に落下させて固定し、フックが自重により自然落下することを防止し、輪ゴムを緊張時に水平状態を保持するよう設けたことを特徴とするものである。
【０００９】
又、発射・排莢機構部の上部に輪ゴム装填弾の発射用固定撃針と、該固定撃針の下部に次弾飛び出し防止用針を並設して設け、且つ、引金を引くことで銃弾用の輪ゴムの発射と次弾の飛び出し防止を同時に行うことを特徴とするものである。
【００１０】
又、銃弾用輪ゴム等の弾性部材を輪ゴム装填弾の上部外周部に無緊張状態で係止し、且つ、該輪ゴム装填弾を弾倉内部に１個又は複数それぞれ挿着して設けたことを特徴とするものである。
【考案の効果】
【００１１】
この考案の効果として、緊張器前後移動装置を内蔵し、その後部に弾倉を挿着する弾倉挿入部をそれぞれ設けた銃身部と、複数の輪ゴム装填弾を挿着可能に設けた弾倉と、上部に銃後部覆いと下部に発射・排莢機構部を有する銃床と、銃身左側面板とから成り、銃弾用の輪ゴムを発射する際は、緊張器前後移動装置の把持部を前後移動させて、緊張器後端に軸支して設けた輪ゴム引っ掛け用フックで輪ゴム装填弾に係止した銃弾用の輪ゴム先端部を引っ掛けて緊張し、且つ、発射・排莢機構部の引金を引いて輪ゴム装填弾の回動駒を前傾させて連続的に発射させることで、複数の輪ゴムをそれぞれ緊張せずに輪ゴム装填弾に係止して弾倉部にそれぞれセットし、発射直前に緊張器により輪ゴムを緊張して正確に発射可能で、且つ、安全性、操作性、メンテナンス性、経済性等に優れる等、極めて有益なる効果を奏するものである。
【図面の簡単な説明】
【００１２】
【図１】この考案の一実施例を示し、（Ａ）は連発式輪ゴム銃の全体平面図で、（Ｂ）は正面図で、（Ｃ）は銃身部左側面板の正面図を示す。
【図２】この考案の一実施例を示し、（Ａ）は図１（Ｂ）のｇ部（緊張器前後移動装置）拡大詳細図で、（Ｂ）は図１（Ａ）のｈ部（緊張器部分）拡大詳細図を示す。
【図３】この考案の一実施例を示し、図１（Ｂ）のｉ部（発射・排苑機構部）拡大詳細図を示す。
【図４】この考案の一実施例を示し、弾倉固定部及び弾倉（輪ゴム装填弾用）の拡大詳細図を示す。
【図５】この考案の一実施例を示し、（Ａ）は輪ゴム装填弾の平面図で、（Ｂ）は輪ゴム装填弾の輪ゴム発射前時の一部欠截平面図で、（Ｃ）は輪ゴム装填弾の輪ゴム発射後時の一部欠截平面図を示す。
【図６】この考案の一実施例を示し、（Ａ）は図１（Ｂ）のａ−ａ矢視拡大断面図で、（Ｂ）はｂ−ｂ矢視拡大断面図で、（Ｃ）はｃ−ｃ矢視拡大断面図を示す。
【図７】この考案の一実施例を示し、（Ｄ）は図１（Ｂ）のｄ−ｄ矢視拡大断面図で、（Ｅ）はｅ−ｅ矢視拡大断面図を示す。
【図８】この考案の一実施例を示し、（Ｆ）は図１（Ｂ）のｆ−ｆ矢視拡大断面図を示す。
【図９】この考案の一実施例を示し、緊張器前後移動装置の輪ゴム引っ掛け用フックと輪ゴム装填弾の傾斜状溝部の関係を示す拡大断面図である。
【図１０】この考案の使用例を示し、操作手順図を示す。
【考案を実施するための形態】
【００１３】
この考案を実施するための形態として、複数の輪ゴムをそれぞれ緊張せずに輪ゴム装填弾に係止して弾倉部にそれぞれセットし、発射直前に緊張器により輪ゴムを緊張して連続的に発射する輪ゴム銃であって、該輪ゴム銃は主に、緊張器前後移動装置（２）を内蔵し、その後部に弾倉（４）を挿着する弾倉挿入部（１ｂ）をそれぞれ設けた銃身部（１ａ）と、複数の輪ゴム装填弾を挿着可能に設けた弾倉（４）と、上部に銃後部覆い（１ｃ）と下部に発射・排莢機構部を有する銃床（１ｄ）と、銃身左側面板（１ｅ）とから成り、銃弾用の輪ゴム（ＲＢ１）を発射する際は、緊張器前後移動装置（２）の把持部（２ａ）を前後移動させて、緊張器後端に軸支して設けた輪ゴム引っ掛け用フック（２ｊ）で輪ゴム装填弾（５）に係止した銃弾用の輪ゴム（ＲＢ１）先端部を引っ掛けて緊張し、且つ、発射・排莢機構部（６）の引金（６ａ）を引いて輪ゴム装填弾（５）の回動駒（５ｂ）を前傾させて連続的に発射させることを特徴とする連続発射式輪ゴム銃から構成される。
【００１４】
又、緊張器前後移動装置（２）の緊張器を後退させて銃弾用の輪ゴム（ＲＢ１）先端を引っ掛ける際には、緊張器後端に軸支して設けた輪ゴム引っ掛け用フック（２ｊ）の鍵外周Ｒ部が輪ゴム装填弾（５）の傾斜状溝部（５ｅ）に沿って上方へ持ち上げられ、且つ、落とし駒（２ｉ）を緊張器上部（２ｇ）及び緊張器下部（２ｈ）の溝部（２ｎ）に落下させて固定し、フックが自重により自然落下することを防止し、輪ゴムを緊張時に水平状態を保持するよう設けたことを特徴とする連続発射式輪ゴム銃から構成される。
【００１５】
又、発射・排莢機構部（６）の上部に輪ゴム装填弾の発射用固定撃針と、該固定撃針の下部に次弾飛び出し防止用針を並設して設け、且つ、引金を引くことで銃弾用の輪ゴム（ＲＢ１）の発射と次弾の飛び出し防止を同時に行うことを特徴とする連続発射式輪ゴム銃から構成される。
【００１６】
又、銃弾用輪ゴム（ＲＢ１）等の弾性部材を輪ゴム装填弾（５）の上部外周部に無緊張状態で係止し、且つ、該輪ゴム装填弾を弾倉（４）内部に１個又は複数それぞれ挿着して設けたことを特徴とする連続発射式輪ゴム銃から構成される。
【実施例１】
【００１７】
そこで、この考案の一実施例を図１〜図９に基づいて詳述すると、まず、本考案は図１（Ａ）（Ｂ）（Ｃ）に示すように、主に、銃身部（１ａ）と、弾倉挿入部（１ｂ）と、銃後部覆い（１ｃ）と、銃床（１ｄ）と、銃身左側面板（１ｅ）とから成るゴム銃本体（１）と、緊張器前後移動装置（２）と、弾倉固定部（３）と、複数の輪ゴム装填弾をセットする弾倉（４）と、複数の輪ゴム装填弾（５）と、発射・排莢機構部（６）とから構成される。
【００１８】
そして、本考案の全体構造の概要を最初に説明すると、銃本体の中央部に輪ゴム装填弾用の弾倉を設け、且つ、銃身部（１ａ）に設けた緊張器前後移動装置（２）の把持部（２ａ）（２ｂ）（２ｃ）をそれぞれ前進側に移動させ、輪ゴム引っ掛け用フック（２ｊ）を後退させて、輪ゴム装填弾にセットされた輪ゴムを下から上方に向けて持ち上げながら引っ掛け、更に、把持部を前進側に移動させると、落とし駒（２ｉ）が緊張器上部（２ｇ）・緊張器下部（２ｈ）の溝部へ落下して緊張器後端部に設けたフックが固定される。そして、今度は緊張器前後移動装置（２）の把持部（２ａ）（２ｂ）（２ｃ）をそれぞれ後退側に移動させ、輪ゴム引っ掛け用フック（２ｊ）を前方方向の銃身先端部まで移動させると、解除用爪（２ｌ）によって落とし駒（２ｉ）が緊張器上部（２ｇ）・緊張器下部（２ｈ）の溝部から持ち上げられ基の状態に復帰する。そして、図３に示すように銃本体後部に設けた発射・排莢機構部（６）の引金（６ａ）を引くと、次弾飛び出し防止用板（６ｂ）及び次弾飛び出し防止用針（６ｂ'）がそれぞれ前方側に移動し、更に遥動伝達駒（６ｃ）が右方向に回動して前後スライド板（６ｄ）及び腕板（６ｅ）（前後スライド板と連結）が後方側に移動し、弾倉の最上部に設けた輪ゴム装填弾が後方に移動する。すると、固定された撃針部（６ｆ）の先端が輪ゴム装填弾の前後移動部材（５ｃ）を押圧して前方側に移動し、輪ゴム引っ掛け用回動駒（５ｂ）が前方側に回動して傾き、銃弾用輪ゴム（ＲＢ１）が前方へ発射される。又、発射と同時に、輪ゴム装填弾本体（５ａ）も先端係止部（５ｇ）（５ｇ）がガイドレール部（１ａ'）（１ａ'）からそれぞれ外れ、上方へ飛び出る。そして、弾倉（４）内部にセットされた次弾（５）（５）（５）が、押し出し枠左右にそれぞれ設けた移動用輪ゴム（ＲＢ２）（ＲＢ２）の押し上げ力によって同時に上方へ移動し、次弾飛び出し防止用針（６ｂ'）の先端部に引っかかって停止するよう設けられている。
【００１９】
続いて、前記に述べた緊張器前後移動装置（２）の詳細について詳述すると、図２（Ａ）に示すように、緊張器前後移動装置は、上部後端に輪ゴム引っ掛け用フック（２ｊ）を軸支して設け、且つ、前後に移動用タコ糸の係止部（２ｈ'）（２ｈ"）をそれぞれ設けた緊張器上・下部（２ｇ）（２ｈ）と、前記の緊張器上・下部を定滑車と動滑車を使用して、２倍の前後移動距離を２倍の速度で移動可能に設けたもので、下部に設けた把持部の上面部には、前後に動滑車（ＰＵ１）（ＰＵ１）をそれぞれ軸支して設けた動滑車取付部（２ｃ）を設け、且つ、動滑車取付部（２ｃ）の上面には前後に定滑車（ＰＵ２）（ＰＵ２）をそれぞれ軸支して設けた固定滑車取付部（２ｄ）を設け、且つ、銃身先端部及び銃身後端部（弾倉固定部上部）に先端タコ糸係止部（２ｆ）・後端タコ糸係止部（３ｄ）をそれぞれ設けている。
【００２０】
そして、一方の滑車前方側の移動用タコ糸（Ｓ１）は、先端係止部（２ｆ）から動滑車取付部（２ｃ）前方側の動滑車（ＰＵ１）を経由し、更に固定滑車取付部（２ｄ）前方側の定滑車（ＰＵ２）を経由して緊張器下部（２ｈ）前方側の係止部（２ｈ'）に固定されている。又、他方の滑車後方側の移動用タコ糸（Ｓ２）は、後端係止部（３ｄ）（弾倉固定部上部）から動滑車取付部（２ｃ）後方側の動滑車（ＰＵ１）を経由し、更に固定滑車取付部（２ｄ）後方側の定滑車（ＰＵ２）を経由して緊張器下部（２ｈ）後方側の係止部（２ｈ"）に固定されている。
【００２１】
又、前記（００１２）緊張器前後移動装置（２）の輪ゴム引っ掛け用フック（２ｊ）は、回動軸（Ｐ１）を中心にして上下方向に回動可能に設けられ、且つ、輪ゴム引っ掛け用フックの係止穴部（２ｊ'）と緊張器上部後方に設けた係止部（２ｇ'）に輪ゴム（ＲＢ２）等の弾性部材がそれぞれ係止され、輪ゴムを引っ掛ける為、矯正的に持ち上げられたフック（２ｊ）が基の位置に復帰し、回動停止用軸（Ｐ２）によって停止するよう設けられている。
【００２２】
又、Ｔ字状に形成して設けた、前記（００１２）落とし駒（２ｉ）の解除用爪（２ｌ）は、Ｌ字状の案内板（２ｋ）内に内蔵され、２本の円筒状バネ（２ｍ）（２ｍ）によって左右方向に伸縮可能に設けられ、緊張器の前進移動によって落とし駒（２ｉ）が下方側に落下して固定されたり、緊張器の後退移動によって解除用爪（２ｌ）が上方側に持ち上げられたりするように設けられている。
【００２３】
続いて、弾倉固定部（３）及び弾倉（４）について説明すると、図４の左側に示すように、一方の弾倉固定部（３）は、銃身部（１ａ）の下方後部中心に設けられ、図７（Ｄ）に示すように案内部材（３ａ）の左右に挟着した開閉部材（３ｂ）を前後移動させることで、案内部材中心に係止して設けた固定部材（３ｂ'）を前後移動させ、開閉可能に設けている。
【００２４】
又、他方の弾倉（４）は、左側上部に弾倉固定溝（４ａ"）と、右側上部に案内レール（４ａ'） をそれぞれ設け、且つ、裏面側を薄板で被覆し、更に、表面側に矩形状の薄板カバー（４ｃ）を複数のビス（Ｂ３）等の係止部材で螺着して設けた矩形状の本体枠（４ａ）と、本体枠の左右外枠の内側面に沿って上下方向に移動可能に設け、且つ、上部中央にタコ糸係止部（４ｂ"）及び左右内枠の内面に輪ゴム等の弾性部材係止用の係止部（４ｂ'）（４ｂ'），（４ｂ'）（４ｂ'）を上下２箇所それぞれ設けたほぼ矩形状の押し出し枠（４ｂ）と、左右の外枠部及び左右の内枠部にそれぞれ係止して外枠内側面に沿って矩形状の押し出し枠を上下に移動させる為の輪ゴム（ＲＢ２）（ＲＢ２）等の弾性部材と、下端部に飛び出し防止用のストッパー（ＳＴ）を設け、上端部を押し出し枠（４ｂ）上部中央の係止部（４ｂ"）に係止して設けた飛び出し防止用タコ糸（Ｓ３）と、弾倉を銃本体の弾倉挿入部に挿入する際、弾倉内部にセットした複数の輪ゴム装填弾が飛び出さないようにするため、弾倉上部中央に設けたＬ字状鍵穴部に係止する、案内軸（４ｄ'）付ストッパー（４ｄ）とから成るものである。又、弾倉（４）内部には、４個の輪ゴム装填弾（５）をセットすることが可能で、予め輪ゴム装填弾を弾倉内にセットしたものを銃本体の弾倉挿入部へ挿着して使用するものである。又、前記の輪ゴム装填弾のセット数は４個に限定するものではなく、必要に応じて適宜変更することが可能である。尚、図４では輪ゴム等の弾性部材係止用の係止部（４ｂ'）を下段側に係止しているが、上段側に変更すれば弾性力（押し上げ力）が増し、発射時に銃弾用輪ゴムが現状よりも勢いよく飛び出る。従って、輪ゴムが古く成って弾性力が不足した時等には、係止位置を上段側に変更すれば、基の状態に復元出来るよう設けられている。
【００２５】
次に、輪ゴム装填弾（５）について説明すると、図５に示すように輪ゴム装填弾（５）は♯１６の銃弾用輪ゴムがほぼ無緊張状態（引き伸ばさない状態）でセットするもので、装填弾本体（５ａ）の上部周囲を、輪ゴムが飛び出し易くする為、ほぼ台形状の略凸状に形成し、先端側に鍵状の引っ掛け部と、後端側に円筒状のバネ（５ｄ）によって前後にスライド可能に設けた前後移動部材（５ｃ）を内蔵し、且つ、前後移動部材（５ｃ）の後端面を押圧することで、銃弾用輪ゴム（ＲＢ１）引っ掛け用回動駒（５ｂ）が回動軸部（Ｐ４）を中心に前方側に回動して、回動駒（５ｂ）の輪ゴム後端引っ掛け部が傾斜し、銃弾用輪ゴム（ＲＢ１）が前方に飛び出す仕組みに設けられている。又、装填弾本体先端下部をＬ字状に形成し、セット時に銃身部（１ａ）上面左右に設けたガイドレール（１ａ'）（１ａ'）に引っ掛けて飛び出さないよう設けられている。尚、本輪ゴム装填弾の寸法形状は、使用する輪ゴム（ＲＢ１）の大きさや用途に応じて、物理的に使用可能な範囲内であれば、適宜変更可能であり、この限りではない。
【００２６】
図９は前記（００１２）説明の緊張器前後移動装置（２）の輪ゴム引っ掛け用フック（２ｊ）と輪ゴム装填弾の傾斜状溝部の関係を示す拡大断面図で、緊張器前後移動装置（２）が後退すると、輪ゴム引っ掛け用フック（２ｊ）の鍵部が輪ゴム装填弾（５）の傾斜状溝部に接触して、フックが上方に持ち上げられ、輪ゴム装填弾上部にセットされた銃弾用輪ゴム（ＲＢ１）に引っ掛けられ、更に、前記（００１２）に述べたように落とし駒（２ｉ）によって、持ち上げたフック（２ｊ）が固定されるよう設けられている。
【００２７】
次に、本考案の連発式輪ゴム銃の操作手順を図１０に従って説明すると、まず、輪ゴム装填弾を複数個セットした弾倉を弾倉挿入部へセットし、弾倉固定部で固定する。そして、銃身（１ａ）下部に設けた移動用把持部（２ａ）を前方側に移動して緊張器上部・下部（２ｇ）・（２ｈ）をそれぞれ後端へ移動させ、更に輪ゴム引っ掛け用フックを上方へ持ち上げると同時に落とし駒を緊張器の溝部へ落下させて、フックを固定させる。そして、今度は移動用把持部を後方側へ移動して、緊張器を前方側に移動させながら最先端まで移動して銃弾用輪ゴムを緊張して銃弾用輪ゴムを発射する。又、前記解除用爪（２ｌ）は緊張器の前進移動時、落とし駒（２ｉ）に接触して、引っ込む為、落とし駒（２ｉ）には干渉しない。そして、銃弾用輪ゴム（ＲＢ１）を発射する際は、目標を狙い定め、引金（６ａ）を引くと、次弾飛び出し防止用板（６ｂ）及び次弾飛び出し防止用針（６ｂ'）は前方側に移動し、前後スライド板（６ｄ）及び腕板（６ｅ）（前後スライド板作動用）は、逆の後方側に移動する。この際、前記腕板（６ｅ）が輪ゴム装填弾を抱え込んで後方に移動させ、固定撃針（６ｆ）が輪ゴム装填弾の前後移動部材（５ｃ）を前方に押圧する。同時に輪ゴム装填弾の回動駒（５ｂ）が前方方向に回動して輪ゴム係止部が傾斜して銃弾用輪ゴム（ＲＢ１）が発射する。そして、輪ゴムを発射した装填弾は、先端係止部が銃身上部左右に設けたガイドレール部（１ａ'）（１ａ'）からそれぞれ外れて、上方に押し上げられ、引金を放すと同時に、次弾を止めていた飛び出し防止用針（６ｂ'）も基の位置に戻り、弾倉内部左右に設けた押し出し枠持ち上げ用輪ゴム（ＲＢ２）（ＲＢ２）の弾性力によって、弾倉の上方外へ排出される。そして、次弾の輪ゴムを迎えに行く際、緊張器の落とし駒が解除用爪（２ｌ）部を通過すると、一旦緊張器の溝部（２ｎ）へ落下して固定された落とし駒（２ｉ）が解除用爪（２ｌ）によって持ち上げられる為、緊張器のフックが解除されてフックが下降し、次の工程に移り、一連の工程を終了する。この一連の工程を繰り返すことで、連続発射が繰り返される。
【産業上の利用可能性】
【００２８】
この考案の連続発射式輪ゴム銃は、安全性、操作性、メンテナンス性、経済性等に優れ、且つ、連続的に複数の輪ゴムが正確に発射可能な為、製造販売することで、多くの輪ゴム銃愛好家を始め、輪ゴム銃を製造販売する関係市場に寄与する為、産業上の利用可能性を有する。
【符号の説明】
【００２９】
１  ゴム銃本体
１ａ  銃身部
１ａ'  ガイドレール部
１ｂ  弾倉挿入部
１ｃ  銃後部覆い
１ｄ  銃床
１ｄ'  引金保護部
１ｅ  銃身左側面板
２  緊張器前後移動装置
２ａ  把持部（緊張器前後移動用）
２ｂ  横板（緊張器前後移動用）
２ｃ  動滑車取付部（緊張器前後移動用）
２ｄ  固定滑車取付部（緊張器前後移動用）
２ｅ  前蓋
２ｆ  先端タコ糸係止部
２ｇ  緊張器上部
２ｇ'  係止部（輪ゴム等の弾性部材用）
２ｈ  緊張器下部
２ｈ'  係止部（タコ糸前側用）
２ｈ"  係止部（タコ糸後側用）
２ｉ  落とし駒
２ｊ  輪ゴム引っ掛け用フック
２ｊ'  係止穴部（輪ゴム等の弾性部材用）
２ｋ  案内板
２ｌ  解除用爪
２ｍ  円筒状バネ
２ｎ  溝部
３  弾倉固定部
３ａ  案内部材
３ｂ  開閉部材（左右移動）
３ｂ'  固定部材（開閉部材に係止）
３ｃ  係止部（輪ゴム等の弾性部材用）
３ｄ  係止部（タコ糸後側用）
３ｅ  固定部材
４  弾倉（輪ゴム装填弾用）
４ａ  本体枠
４ａ'  案内レール
４ａ"  弾倉固定溝
４ｂ  押し出し枠
４ｂ'  係止棒（輪ゴム等の弾性部材用）
４ｂ"  係止部（飛び出し防止タコ糸用）
４ｃ  薄板カバー
４ｃ'  Ｌ字状鍵穴
４ｄ  ストッパー（輪ゴム装填弾飛び出し防止用）
４ｄ'  案内軸
５  輪ゴム装填弾
５ａ  装填弾本体
５ｂ  輪ゴム引っ掛け用回動駒
５ｃ  前後移動部材（回動駒作動用）
５ｄ  円筒状バネ
５ｅ  傾斜状溝部
５ｆ  先端引っ掛け部
５ｇ  先端係止部
６  発射・排莢機構部
６ａ  引金
６ｂ  次弾飛び出し防止用板
６ｂ'  次弾飛び出し防止用針
６ｃ  遥動伝達駒
６ｄ  前後スライド板
６ｄ'  係止部（輪ゴム用）
６ｅ  腕板（前後スライド板作動用）
６ｆ  固定撃針
Ｂ１  ビス等の係止部材
Ｂ２  ビス等の係止部材
Ｂ３  ビス等の係止部材
Ｐ１  回動軸部
Ｐ２  回動停止用軸
Ｐ３  係止部（輪ゴム用）
Ｐ４  回動軸部
ＰＵ１  動滑車
ＰＵ２  定滑車
ＲＢ１  輪ゴム（銃弾用）
ＲＢ２  輪ゴム（弾性部材用）
Ｓ１  移動用タコ糸（滑車前側）
Ｓ２  移動用タコ糸（滑車後側）
Ｓ３  飛び出し防止用タコ糸（弾倉中心部）
ＳＴ  ストッパー（押し出し枠抜け出し防止用）
【図１】
0003170515.tif 000003
【図２】
0003170515.tif 000004
【図３】
0003170515.tif 000005
【図４】
0003170515.tif 000006
【図５】
0003170515.tif 000007
【図６】
0003170515.tif 000008
【図７】
0003170515.tif 000009
【図８】
0003170515.tif 000010
【図９】
0003170515.tif 000011
【図１０】
0003170515.tif 000012
【手続補正書】
【提出日】平成23年7月13日(2011.7.13)
【手続補正１】
【補正対象書類名】実用新案登録請求の範囲
【補正対象項目名】全文
【補正方法】変更
【補正の内容】
【実用新案登録請求の範囲】
【請求項１】
複数の輪ゴムをそれぞれ緊張せずに輪ゴム装填弾に係止して弾倉部にそれぞれ挿着し、発射直前にその都度緊張器により輪ゴム（ＲＢ１）を緊張して連続的に発射する輪ゴム銃であって、該輪ゴム銃は主にゴム銃本体（１）の前方に、前後に定滑車を軸着して設けた固定滑車取付部と、該固定滑車取付部の下面に設けて緊張器を前後移動させるための把持部（２ａ）と、該固定滑車取付部（２ｄ）の上面に設けて前後移動可能に設けた輪ゴム引っ掛け用フック（２ｊ）付緊張器から成る緊張器前後移動装置（２）を内蔵して設けた銃身部（１ａ）と、ゴム銃本体（１）のほぼ中央部に、複数の輪ゴム装填弾（５）と、複数の輪ゴム装填弾の下部に設けて、発射・排莢する毎に輪ゴム装填弾が上方に持ち上げられるよう設けた押し出し枠（４ｂ）とから成り、且つ、着脱可能に設けた弾倉（４）と、ゴム銃本体（１）の後方に設けた銃床（１ｄ）と、弾倉と銃床の中間部に設けた発射・排莢機構部（６）とから成ることを特徴とする連続発射式輪ゴム銃。
【請求項２】
緊張器後部に軸支して設けた輪ゴム引っ掛け用フック（２ｊ）が、緊張器を後退させて銃弾用の輪ゴム（ＲＢ１）先端を引っ掛ける際、自重により自然落下することを防止し、輪ゴムを緊張時に水平状態を保持するため、輪ゴム引っ掛け用フック（２ｊ）の鍵外周部をＲ形状に形成して設け、且つ、該輪ゴム装填弾（５）の先端部に傾斜状溝部（５ｅ）をそれぞれ設け、且つ、緊張器上部（２ｇ）及び緊張器下部（２ｈ）の中間部に固定用溝部と落とし駒（２ｉ）をそれぞれ設けた緊張器前後移動装置（２）から成ることを特徴とする請求項１記載の連続発射式輪ゴム銃。
【請求項３】
銃弾用の輪ゴム（ＲＢ１）の発射と次弾の飛び出し防止の為、上部に輪ゴム装填弾の発射用固定撃針（６ｆ）と、該固定撃針の下部に次弾飛び出し防止用針（６ｂ'）をそれぞれ並設して設けた発射・排莢機構部（６）から成ることを特徴とする請求項１又は２記載の連続発射式輪ゴム銃。
【請求項４】
１個又は複数銃弾用輪ゴム（ＲＢ１）等の弾性部材を無緊張状態で弾倉（４）内部に挿着する為、弾性部材の大きさに適合した長さを有し、且つ、先端部に先端引っ掛け部と、後端部にバネ力によって基の位置に復帰可能に軸支して設けた輪ゴム引っ掛け用回動駒を有する輪ゴム装填弾から成ることを特徴とする請求項１又は２又は３記載の連続発射式輪ゴム銃。